(57)【要約】【課題】本発明は、ネジによって確実に固定されるネジ固定構造を提供することを目的とする。【解決手段】本発明に係るネジ固定構造は、貫通孔が設けられた固定板と、固定孔が設けられた基板と、前記固定板を前記基板に固定するネジと、を備え、前記固定孔は、内部ネジ山が形成されるネジ孔と、前記ネジ孔の下方に位置し且つ前記ネジ孔に連通される収容孔と、を備え、前記ネジは、前記固定板の貫通孔を貫いて前記基板の固定孔内に挿入され、前記ネジのネジ首周辺部分は前記ネジ孔の内部ネジ山に螺合され、前記ネジの先端は前記収容孔に収容され且つ前記収容孔の内壁と離間する。【選択図】図３
2011241980.tif 000002
【特許請求の範囲】
【請求項１】
貫通孔が設けられた固定板と、固定孔が設けられた基板と、前記固定板を前記基板に固定するネジと、を備えるネジ固定構造であって、
前記固定孔は、内部ネジ山が形成されるネジ孔と、前記ネジ孔の下方に位置し且つ前記ネジ孔に連通される収容孔と、を備え、
前記ネジは、前記固定板の貫通孔を貫通して前記基板の固定孔内に挿入され、前記ネジのネジ首周辺部分は前記ネジ孔の内部ネジ山に螺合され、前記ネジの先端は前記収容孔に収容され且つ前記収容孔の内壁と離間することを特徴とするネジ固定構造。
【請求項２】
前記収容孔と前記ネジ孔とは同軸に設置され、前記収容孔の内径は、前記ネジ孔の谷径より大きいことを特徴とする請求項１に記載のネジ固定構造。
【請求項３】
前記固定孔は、前記基板の上下両側を貫通することを特徴とする請求項２に記載のネジ固定構造。
【請求項４】
前記ネジ孔の開口端には、前記ネジを案内して前記ネジ孔に導く環状の案内部が設けられ、前記案内部の内径は前記ネジ孔の開口端から下方に向かって次第に小さくなることを特徴とする請求項３に記載のネジ固定構造。
【請求項５】
前記案内部の最小径は、前記ネジ孔の内径と同じであることを特徴とする請求項４に記載のネジ固定構造。
【請求項６】
前記ネジは、頭部と、前記頭部から垂直方向下方に延設される軸部と、を備え、前記軸部の外表面には、外部ネジ山が設けられ、前記頭部は前記固定板に当接され、前記軸部は前記固定板の貫通孔及び前記基板の固定孔内に挿入されることを特徴とする請求項１〜請求項５のいずれか一項に記載のネジ固定構造。
【請求項７】
前記基板の前記固定板に対面する表面には、凸部が突出され、前記ネジ孔は前記凸部に螺設されることを特徴とする請求項１に記載のネジ固定構造。
【発明の詳細な説明】
【技術分野】
【０００１】
本発明は、固定構造に関し、特にネジによって固定するネジ固定構造に関するものである。
【背景技術】
【０００２】
ネジを用いて様々な部品を接続すると、部品の着脱が容易であるので、ネジ固定構造は広く応用される。図１及び図２に示すように、従来のネジ固定構造１１０は、ネジ孔６２が設けられた基板６０と、前記基板６０の上に配置され且つ貫通孔５２が設けられた固定板５０と、前記固定板５０を前記基板６０に固定するネジ４０と、を備える。前記ネジ孔６２は、前記基板６０を貫通する。前記ネジ４０が前記貫通孔５２を貫いて前記ネジ孔６２に螺合する際、前記基板６０が非常に厚い場合には、前記ネジ４０と前記ネジ孔６２との間の摩擦力が大きくなり、前記ネジ４０を前記ネジ孔６２に完全に螺合することはできない。
【発明の概要】
【発明が解決しようとする課題】
【０００３】
以上の問題点に鑑みて、本発明は、ネジによって確実に固定されるネジ固定構造を提供することを目的とする。
【課題を解決するための手段】
【０００４】
本発明に係るネジ固定構造は、貫通孔が設けられた固定板と、固定孔が設けられた基板と、前記固定板を前記基板に固定するネジと、を備え、前記固定孔は、内部ネジ山が形成されるネジ孔と、前記ネジ孔の下方に位置し且つ前記ネジ孔に連通する収容孔と、を備え、前記ネジは、前記固定板の貫通孔を貫いて前記基板の固定孔内に挿入され、前記ネジのネジ首周辺部分は前記ネジ孔の内部ネジ山に螺合され、前記ネジの先端は前記収容孔に収容され且つ前記収容孔の内壁と離間する。
【発明の効果】
【０００５】
従来の技術に比べて、本発明のネジ固定構造によれば、前記ネジ孔の下方に前記収容孔を設けることにより、ネジ山数が減少し、前記ネジと前記基板との間の摩擦力が小さくなり、前記ネジが前記ネジ孔に完全に螺合し、前記ネジ固定構造の組立が簡単になる。
【図面の簡単な説明】
【０００６】
【図１】従来のネジ固定構造の分解状態の断面図である。
【図２】従来のネジ固定構造の組立状態の断面図である。
【図３】本発明の第一実施形態に係るネジ固定構造の分解状態の断面図である。
【図４】本発明の第一実施形態に係るネジ固定構造の組立状態の断面図である。
【図５】本発明の第二実施形態に係るネジ固定構造の分解状態の断面図である。
【図６】本発明の第二実施形態に係るネジ固定構造の組立状態の断面図である。
【発明を実施するための形態】
【０００７】
以下、図面に基づいて、本発明に係るネジ固定構造について詳細に説明する。
【０００８】
図３及び図４を参照すると、本発明の第一実施形態に係るネジ固定構造１００は、固定板２０と、基板３０と、前記固定板２０を前記基板３０に固定するネジ１０と、を備える。
【０００９】
前記ネジ１０は、頭部１２と、前記頭部１２から垂直方向下方に延設される軸部１４と、を備える。前記頭部１２は円盤状であり、前記軸部１４は細長い円柱体状である。前記頭部１２の外径は、前記軸部１４の外径より大きい。前記軸部１４の外周面には、外部ネジ山１４２が設けられる。
【００１０】
前記固定板２０は矩形の板体である。前記固定板２０には、円形の貫通孔２２が穿設される。前記貫通孔２２の内径は、前記ネジ１０の頭部１２の外径より小さいが前記軸部１４の外径より大きく、前記ネジ１０の軸部１４を貫通させる。
【００１１】
他の実施形態において、前記固定板２０は、他の形状とすることもできる。前記貫通孔２２の内表面には、前記軸部１４の外部ネジ山１４２に螺合する内部ネジ山を設けることもできる。
【００１２】
前記基板３０は矩形の板体であって、第一表面３１と、前記第一表面３１に対向する第二表面３３と、を備える。前記基板３０には、前記固定板２０の貫通孔２２に対応し、且つ前記第一表面３１及び前記第二表面３３を貫通する固定孔３２が設けられる。前記固定孔３２は、前記第一表面３１に近いネジ孔３２２と、前記ネジ孔３２２に連通し且つ前記第二表面３２に近い収容孔３２４と、を備える。
【００１３】
前記ネジ孔３２２は、前記第一表面３１から垂直方向下方に螺設される。前記ネジ孔３２２の内表面には、前記第一表面３１から前記収容孔３２４に向かって案内部３２６及び内部ネジ山３２５が順次設けられる。前記内部ネジ山３２４の条数は３〜４山である。前記案内部３２６は、前記第一表面３１から下方に斜設され、前記ネジ１０を案内して前記ネジ孔３２２に導く。前記案内部３２６の内径は、前記第一表面３１から前記内部ネジ山３２５に向かって次第に小さくなる。前記案内部３２６の頂端の内径は、前記内部ネジ山３２５の最大径より大きく、且つ前記貫通孔２２の内径と同じである。前記案内部３２６の底端の内径は、前記ネジ孔３２２の内径と同じである。
【００１４】
前記収容孔３２４は、前記第二表面３３から垂直方向上方に穿設され、前記ネジ孔３２２と同軸に設けられる。本実施形態において前記収容孔３２４の横断面は円形であるが、他の実施形態においては、前記収容孔３２４は他の形状とすることもできる。前記収容孔３２４の内径は、前記ネジ孔３２２の谷径より大きく、前記ネジ１０の軸部１４の外径よりも大きい。
【００１５】
前記ネジ固定構造１００を組み立てる際、前記固定板２０の下表面を前記基板３０の第一表面３１に当接し、前記固定板２０の貫通孔２２と前記基板３０の固定孔３２との位置合わせを行う。前記ネジ１０の軸部１４が、前記固定板２０の貫通孔２２を貫通して、前記案内部３２６に案内されて、前記ネジ孔３２２の内部ネジ山３２５に螺接した後、前記ネジ１０の頭部１２を操作し、前記ネジ１０の軸部１４を所定の方向に沿って回動させ、前記軸部１４の前記頭部１２に近い外部ネジ山１４２は前記ネジ孔３２２の内部ネジ山３２５に螺合し、前記軸部１４のネジ先端は前記収容孔３２４内に収容され、且つ前記収容孔３２４の内壁と離間する。前記頭部１２の座面が前記固定板２０の上表面に当接すると、前記固定構造１００の組立が完成する。
【００１６】
前記固定孔３２において、前記ネジ孔３２２の下方に前記収容孔３２４を設けることにより、前記ネジ孔３２２の内部ネジ山３２５の条数が減少し、前記ネジ１０と前記基板３０との間の摩擦力が小さくなり、前記ネジ１０を前記ネジ孔３２２に完全に螺合させることができ、前記ネジ固定構造１００の組立が簡単になる。
【００１７】
前記ネジ孔３２２の内部ネジ山３２５の条数は、本実施形態の３〜４山に限定されるものではなく、前記固定板２０と前記基板４０との連結強度を確保する上で、必要に応じて適当に増減することができる。
【００１８】
図５及び図６を参照すると、前記第一実施例のネジ固定構造１００と比較して、本発明の第二実施例に係るネジ固定構造１００ａによれば、基板３０ａの厚さは、前記第一実施例の基板３０の厚さより薄い。前記基板３０の第一表面３１ａから垂直方向上方に凸部３４ａが突出し、固定孔３２ａのネジ孔３２２ａは前記凸部３４ａの頂端から垂直方向下方に螺設され、固定孔３２ａの収容孔３２２ａは、前記基板３０ａの第二表面３３ａから垂直方向上方に穿設され、且つ前記ネジ孔３２２ａに連通する。本実施例のネジ固定構造１００ａのネジ孔３２２ａ及び収容孔３２４ａの構造は、前記第一実施例のネジ固定構造１００の前記ネジ孔３２２及び収容孔３２４の構造とそれぞれ同じである。
【００１９】
本実施形態において、前記基板３０、３０ａ及び前記固定板２０の形状と、前記固定孔３２、３２ａ及び前記貫通孔２２の数量とは、前記実施例に限定されるものではなく、必要に応じて適当に変更可能である。
【００２０】
以上、本発明の好適な実施例について詳細に説明したが、本発明は前記実施例に限定されるものではなく、本発明の範囲内において種々の変形又は修正が可能であり、該変形又は修正も又、本発明の特許請求の範囲内に含まれるものであることは、いうまでもない。
【符号の説明】
【００２１】
１００、１００ａ、１１０    ネジ固定構造
６０、３０、３０ａ          基板
６２、３２２、３２２ａ      ネジ孔
１０、４０                  ネジ
１２                        頭部
１４                        軸部
１４２                      外部ネジ山
２０、５０                  固定板
２２、５２                  貫通孔
３１、３１ａ                第一表面
３３、３３ａ                第二表面
３２、３２ａ                固定孔
３２４、３２４ａ            収容孔
３２５                      内部ネジ山
３２６                      案内部
３４ａ                      凸部
【図１】
2011241980.tif 000003
【図２】
2011241980.tif 000004
【図３】
2011241980.tif 000005
【図４】
2011241980.tif 000006
【図５】
2011241980.tif 000007
【図６】
2011241980.tif 000008